(57)【要約】【課題】  撮影可能残数が０（ゼロ）の場合に、容易に撮影続行可能状態にするにはどのような設定をすればよいのかが確認でき、シャッターチャンスに強いデジタルカメラを提供する。【解決手段】光画像を光電変換素子によって電気画像信号に変換する手段と、記憶媒体と、電気画像信号を該記憶媒体に記憶する手段と、撮影した画像や各情報を表示する表示手段と、情報を表示状態にする操作部材と、撮影画像の種類の設定手段と、設定された撮影画像の種類に応じた画像容量と、記憶媒体の書き込み可能残量を比較するとともに残り撮影可能枚数を判定する撮影可能残数判定手段とを備え、撮影可能残数判定手段が前記設定手段で設定された種類の画像にて記録できない状態である場合、他の撮影画像設定状態ごとに何枚撮影可能であるかを判定し、その情報を表示手段に表示する。【選択図】  図１  
2005175950.tif 000002
【特許請求の範囲】
【請求項１】
光画像を光電変換素子によって電気画像信号に変換する手段と、記憶媒体と、前記電気画像信号を該記憶媒体に記憶する手段と、撮影した画像や各情報を表示する表示手段と、情報を表示状態にする操作部材と、撮影画像の種類の設定手段と、設定された撮影画像の種類に応じた画像容量と前記記憶媒体の書き込み可能残量とを比較するとともに、残り撮影可能枚数を判定する撮影可能残数判定手段とを備え、
前記撮影可能残数判定手段が前記設定手段で設定された種類の画像にて記録できない状態である場合、他の撮影画像設定状態ごとに何枚撮影可能であるかを判定し、その情報を前記表示手段に表示することを特徴とするデジタルカメラ。
【請求項２】
請求項１記載のデジタルカメラにおいて、通常は撮影情報を表示させる釦を前記撮影可能残数判定手段が該設定手段で設定された画像はもう記録できないと判断した状態で操作した場合に、他の撮影画像設定状態では何枚撮影可能であるかを判定し、前記表示手段に表示することを特徴とするデジタルカメラ。
【請求項３】
光画像を光電変換素子によって電気画像信号に変換する手段と、記憶媒体と、該電気画像信号を該記憶媒体に記憶する手段と、撮影した画像や各情報を表示する表示手段と、情報を表示状態にする操作部材と、撮影画像の種類の設定手段と、撮影画像の種類に応じた画像容量と該記憶媒体の書き込み可能残量とを比較するとともに残り撮影可能枚数を判定する撮影可能残数判定手段とを備え、
特定の操作で設定可能な撮影画像設定状態ごとに何枚撮影可能であるかを判定し、その情報を前記表示手段に表示することを特徴とするデジタルカメラ。
【請求項４】
請求項３記載のデジタルカメラにおいて、前記特定操作は、前記情報表示操作部材と撮影画像の種類の設定部材（ＩＳＯ感度設定部材、画像サイズ設定部材、画質設定部材のいずれか）の同時操作とすることを特徴とするデジタルカメラ。
【発明の詳細な説明】
【技術分野】
【０００１】
本発明は、光画像を光電変換素子によって電気画像信号に変換し、該電気画像信号を記憶媒体に記憶する電子スチルカメラに関するものである。
【背景技術】
【０００２】
従来は、設定されているＩＳＯ感度、画像サイズ、画質において、予想される画像の容量が、記憶媒体に記憶できる残容量を上回っている場合、撮影可能枚数の「０」表示を行ったり、記録メディアの容量が足りないことの警告表示をおこない撮影不可能となっていた。しかし、実際はＩＳＯ感度設定を低ＩＳＯ側に切り替えたり、画像サイズ設定を小さくしたり、画質を高圧縮率が側に設定することで、撮影可能になる場合が多い。特に、近日、デジタルカメラの高画素化が進み、その画素数を生かすために、通常撮影ではより大サイズでより高画質で撮影して撮影可能残数ゼロになる場合が多いからである。特に、画像処理なしのＲＡＷデータで撮影している場合などはその傾向は顕著である。
【特許文献１】特開平６−１３３１９３号公報
【特許文献２】特開２００１−７８０６１号公報
【発明の開示】
【発明が解決しようとする課題】
【０００３】
しかしながら、撮影しているときに、撮影残数がなくなったが撮影を少しでも続けたい場合には、撮影者はＩＳＯや画像サイズや画質の設定を切り替えて、撮影可能枚数を確認し、状況に適した設定で撮影をするという効率の悪い操作を強いられていた。
【０００４】
つまり、上記従来のデジタルカメラでは、どのような設定を行えば、撮影続行可能になるのか確認することは容易ではないことで、シャッターチャンスを逃すこともある課題を有している。
【０００５】
本発明は、上記課題を鑑み、撮影可能残数が０（ゼロ）の場合に、通常は撮影情報を表示する情報表示部材を操作することで設定可能なＩＳＯ、画像サイズ、画質では後何枚撮影可能であるかをＥＶＦなど表示部材に表示することで、設定ＩＳＯ、画像サイズ、画質で撮影残数がゼロになった場合、容易に撮影続行可能状態にするにはどのような設定をすればよいのかが確認でき、シャッターチャンスに強いデジタルカメラを提供することを目的とする。
【０００６】
さらに、撮影可能残数が０（ゼロ）でない場合も、撮影画像の設定釦であるＩＳＯ設定釦、画像サイズ設定釦、画質設定釦のいずれかと、情報表示釦の同時操作で、容易に各設定状態における撮影可能枚数の確認でき、記憶容量の残りの容量を状況に応じて最適に使用可能となるデジタルカメラを提供することを目的とする。    
【課題を解決するための手段】
【０００７】
上記課題を解決するために本発明は、光画像を光電変換素子によって電気画像信号に変換する手段と、記憶媒体と、前記電気画像信号を該記憶媒体に記憶する手段と、撮影した画像や各情報を表示する表示手段と、情報を表示状態にする操作部材と、撮影画像の種類の設定手段と、設定された撮影画像の種類に応じた画像容量と、該記憶媒体の書き込み可能残量を比較するとともに残り撮影可能枚数を判定する撮影可能残数判定手段とを備え、前記撮影可能残数判定手段が前記設定手段で設定された種類の画像にて記録できない状態である場合、他の撮影画像設定状態ごとに何枚撮影可能であるかを判定し、その情報を前記表示手段に表示することを特徴とする。
【０００８】
また、光画像を光電変換素子によって電気画像信号に変換する手段と、記憶媒体と、該電気画像信号を該記憶媒体に記憶する手段と、撮影した画像や各情報を表示する表示手段と、情報を表示状態にする操作部材と、撮影画像の種類の設定手段と、撮影画像の種類に応じた画像容量と該記憶媒体の書き込み可能残量を比較するとともに残り撮影可能枚数を判定する撮影可能残数判定手段とを備え、特定の操作で設定可能な撮影画像設定状態ごとに何枚撮影可能であるかを判定し、その情報を前記表示手段に表示することを特徴としている。
【発明の効果】
【０００９】
本発明によれば、撮影可能残数が０になっても、撮影可能な条件がすぐにわかり、シャッターチャンスを逃すことなく撮影が続行することが可能になる。かつ、記憶媒体の残ったわずかな容量を簡単、容易に効率的に有効に利用か可能となる。
【００１０】
さらに、いつでも、撮影設定状態における撮影可能な枚数の条件がすぐにわかり、また、記憶媒体の残った容量を簡単、容易に効率的に有効に利用か可能となる。限られた、記録媒体で撮影する場合は、撮影状況に適した設定を行う判断が容易になる。
【発明を実施するための最良の形態】
【００１１】
以下に本発明の実施例について説明する。
【実施例１】
【００１２】
以下に、本発明の第１の実施例を図１〜図４に基づき説明する。
【００１３】
本実施例では、撮影可能残数が０（ゼロ）の場合に、通常は撮影情報を表示する情報表示部材を操作することで設定可能なＩＳＯ、画像サイズ、画質では後何枚撮影可能であるかをＥＶＦなど表示部材に表示する実施例について説明する。
【００１４】
第２図は、本実施例に係るカメラのブロック図である。
【００１５】
１は撮影レンズであり、ＡＦ（オートフォーカス）駆動回路部２は、例えば、ステッピングモータによって構成され、マイクロコンピュータ１６の制御によってレンズ１内のフォーカスレンズ位置を変化させることによりピントを合わせる。フォーカス演算に用いるデフォーカス量は、ＣＣＤの出力の特定エリアを映像信号処理回路１０を用いて演算する。
【００１６】
ズーム駆動回路部３は、例えばステッピングモータによって構成され、マイクロコンピュータ１６の制御によってレンズ１内の変倍レンズ位置を変化させることにより撮影レンズの焦点距離を変化させる。
【００１７】
絞り駆動回路部４は、例えばオートアイリス等によって構成され、マイクロコンピュータ１６の制御によって光学的な絞り値を変化させる。
【００１８】
撮像素子部６としてはＣＣＤ等が用いられ、光学的レンズ１によってその撮像素子上に結像されたフィルム像を光電変換して電気信号として取り出す。
【００１９】
クランプ／ＣＤＳ回路７やＡＧＣ８はＡ／Ｄ変換をする前の基本的アナログ処理を行う。マイクロコンピュータ１６により、クランプレベルやＡＧＣ基準レベルの変更も可能である。Ａ／Ｄ変換部９はアナログのＣＣＤ出力信号をデジタル信号に変換する（したがって、これら撮像素子部６、クランプ／ＣＤＳ回路７、ＡＧＣ８、Ａ／Ｄ変換部９が光画像
を光電変換素子によって電気画像信号に変換する手段に相当することになる）。
【００２０】
映像信号処理回路１０は、デジタル化されたＣＣＤ画像データに、フィルター処理、色変換処理、ガンマー／ニー処理を行い、メモリーコントローラ１３に出力する。他方、この映像信号処理回路はＤＡ変換にも内蔵されており、ＣＣＤ６から入力される映像信号や、メモリーコントローラ１３から逆に入力される画像データをアナログ信号に変換し、ＥＶＦ駆動回路１１を通して表示手段であるＥＶＦモニタ１２に出力することも可能である。これらの機能切り替えはマイクロコンピュータ１６とのデータ交換により行われ、必要に応じてＣＣＤ信号の露出情報やフォーカス情報やホワイトバランスやオートフォーカス情報をマイクロコンピュータ１６に出力可能である。その情報を基にマイクロコンピュータ１６はホワイトバランスやゲイン調整を行う。また、フォーカス情報を評価してＡＦ駆動回路２に通信してフォーカスレンズを駆動する。
【００２１】
また、マイクロコンピュータ１６の指示により、何もせずにメモリーコントローラ１３を通してバッファーメモリー１９に画像データを保存することも可能である。また、映像信号処理回路１０はＪＰＥＧなどの圧縮処理する機能も入っている。連写の場合は一旦、バッファーメモリー１９に撮影データを格納し、処理時間がある場合にメモリーコントローラ１３を通して未処理の画像データを読み出し、映像信号処理回路１０で画像処理や圧縮処理を行い、連写スピードを稼ぐ。連写枚数は、バッファーメモリー１９の大きさに大きく左右される。
【００２２】
また、マイクロコンピュータ１６は撮影前に設定されているＩＳＯ感度、画像サイズ、画質応じた、画像サイズの予測値データをもとに、メモリーコントローラ１３を通して、メモリーの容量を確認し比較し、撮影可能残数を演算し、表示部材に表示する（したがって、映像信号処理回路１０、メモリーコントローラ１３、マイクロコンピュータ１６が撮影画像の種類の設定（ＩＳＯ感度設定、画像サイズの設定、画質の設定のいずれか1つ以
上）手段と設定された撮影画像の種類に応じた画像サイズと該記憶媒体の書き込み可能残量を比較し、残り撮影可能枚数を判定する撮影可能残数判定手段として機能することになる）。
【００２３】
メモリーコントローラ部１３では、映像信号処理回路１０から入力された未処理のデジタル画像データをバッファーメモリー１９に格納し、処理済みのデジタル画像を記録媒体であるメモリー１４に格納したり、逆にバッファーメモリー１９やメモリー１４から画像データを映像信号処理回路部１０に出力したりする。また、本コントローラは、外部インターフェース１５から送られてくる映像をメモリー１４に記憶したり、メモリー１４に記憶されている画像を外部インターフェース１５から出力可能である。メモリー１４は取り外し自由である場合もある。
【００２４】
電源部１７は、各ＩＣや駆動系に必要な電源を供給する。操作部材１８は、マイクロコンピュータ１６に操作部材の状態を伝え、マイクロコンピュータ１６はその操作部材の変化に応じて各部をコントロールする。
【００２５】
２０はレリーズ釦であり、操作部材１８の入力スイッチである。２０（ａ）のみオンの状態はレリーズ釦半押し状態であり、２０（ａ）、２０（ｂ）が共にオンの場合は、撮影画像をホールドし記録するためのレリーズ釦オン状態である。
【００２６】
１８の操作部材には、レリーズ釦２０のほかに、ＩＳＯ設定釦、画像サイズ設定釦、画質設定釦、情報表示釦など不図示のスイッチがつながっており、スイッチの状態が検出されている。
【００２７】
２１は液晶駆動回路であり、マイクロコンピュータ１６の表示内容命令に従って、２２の外部液晶表示や２３のファインダー内液晶表示を駆動する。また、２３のファインダー内の液晶表示には、不図示のＬＥＤなどのバックライトが配置されており、そのＬＥＤも２１の液晶駆動回路で駆動される。
【００２８】
次に図３のフロー図を用いて、本実施例で用いるカメラの動作について説明する。
【００２９】
カメラ動作開始状態からスタートし（Ｓ３００）、電源ＯＦＦタイマーがタイプアウトしたかどうかの判定を行う（Ｓ３０１）、タイムアウトと判定された場合は電源ＯＦＦの処理のためにＳ３１８に進み、タイムアウトされてない場合は、各種の設定を行う操作部材１８の入力により、カメラのモードなどの各種の設定を行う（Ｓ３０２）。本実施例では、このＳ３０２で、ＩＳＯ感度設定、画像サイズ設定、画質設定を行い、情報表示設定も行う。
【００３０】
Ｓ３０２で設定した状態や各種の設定状態は、外部液晶表示部材２２などに表示され、Ｓ３０２で設定されたＩＳＯ感度、画像サイズ、画質に応じた画像サイズの予測値データをもとに、メモリーコントローラ１３を通して、メモリーの容量を確認し比較し、撮影可能残数を演算し、表示部材に表示する（Ｓ３０３）。
【００３１】
そして、レリーズ釦２０が半押し状態かどうかの判定を行い（Ｓ３０４）、２０（ａ）のみオンの半押し状態の場合はタイマー更新のための電源ＯＦＦタイマーの更新を行う（Ｓ３０５）。全く押されてない（２０（ａ）も２０（ｂ）も押されていない状態）ではＳ３０１進む。
【００３２】
Ｓ３０６では、ＣＣＤ６の画像をクランプ／ＣＤＳ回路７、ＡＧＣ８、Ａ／Ｄ変換部９の各々の回路により取り込み、映像信号処理回路１０の出力であるフォーカス情報に基づいてレンズ駆動量を演算決定し、ＡＦ駆動回路を用いてレンズ１の一部を駆動し、ピント調整する（Ｓ３０７）。
【００３３】
また、映像信号処理回路１０の出力である露出条件情報を基に、適正な明るさになるように、ＡＧＣ８に送るゲイン値や絞り駆動回路４に送る絞り値やＣＣＤ６の制御用電子シャッター値を演算決定し制御し（Ｓ３０８）、映像信号処理回路１０の出力であるホワイトバランス情報を基に、適正な色になるように、映像信号処理回路１０で用いるＲとＢのゲインとを演算決定し制御する（Ｓ３０９）。
【００３４】
次に、Ｓ３０６で取りこまれ、各制御された画像信号をＥＶＦ駆動回路１１に送り、ＥＶＦ１２に表示する（Ｓ３１０）。また、Ｓ３０７〜Ｓ３０９で決定した撮影情報を２１の液晶駆動回路に送り、外部液晶表示２２やファインダー内液晶表示２３に表示する。液晶表示２３のバックライトも点灯する。
【００３５】
Ｓ３１１では、レリーズが可能状態であり、かつ、レリーズ釦が完全に押された（２０（ａ）と２０（ｂ））が同時にオン状態）になったかどうかの判定を行い、完全に押された状態の場合は画像を保存するために、メモリーコントロール１３に画像信号を送り、バッファーメモリー１９に画像を一時保管する。押されてない場合はＳ３０１に戻る。
【００３６】
また、バッファーメモリー１９に格納された未処理の画像を１０の映像信号処理回路の負荷が画像処理できるレベルであるときに処理し、圧縮し、メモリー１４に格納する動作をスタートする（Ｓ３１３）。連写等の場合は、１９のバッファーメモリーに画像がどんどん格納されるが、画像処理は停止した状態になることもある。
【００３７】
ここで、メモリー１４に記憶可能な領域が存在するかどうかの判定を行うが、判定を行う際は、まだ、未処理のバッファーメモリー１９上の画像も考慮して判定を行う（Ｓ３１４）。
【００３８】
メモリー１４に記憶可能な領域が存在するかどうかの判定の結果、撮影可能であったかどうかの判定を行い（Ｓ３１５）、撮影可能である場合は、レリーズ釦２０が押されているかどうかの判定（２０（ａ）もしくは２０（ａ）と２０（ｂ）の両方が押されているかどうかの判定）を行い（Ｓ３１６）、押されてない場合はＳ３０１に戻り、押されている場合はＳ３０５に進む。撮影可能でない場合は、レリーズできない状態などの警告表示を行う（Ｓ３１７）。そして、撮影画像の種類（ＩＳＯ、画像サイズ、画質）に応じた画像サイズと該記憶媒体の書き込み可能残量を比較し、記憶容量不足の場合は、その状態の警告表示を出す。
【００３９】
そして、ＥＶＦ駆動回路１１により、ＥＶＦ表示１２を消灯し、液晶表示２３のバックライトも消灯し（Ｓ３１８）、画像処理と圧縮とメモリー格納処理がすべて終了とされ、バッファーメモリー１９が空の状態となるまで待機する（Ｓ３１９）。その後、電源回路１７に指示を出して必要無い電源は落し（Ｓ３２０）、終了となる（Ｓ３２１）。
【００４０】
次に図１のフロー図を用いて本実施例の特徴を説明する。
【００４１】
次に図１のフロー図を用いて、図３のＳ３０２、Ｓ３０３の部分に係るＩＳＯ感度設定、画像サイズ設定、画質設定を行い情報表示設定も行う処理と、ＩＳＯ感度、画像サイズ、画質に応じた画像サイズの予測値データを基にメモリーコントローラ１３を通して、メモリーの容量を確認し比較し、撮影可能残数を演算し、表示部材に表示する処理とについて詳細に説明する。
【００４２】
処理開始状態からスタートし（Ｓ１００）、Ｓ３０２で設定されたＩＳＯ感度、画像サイズ、画質に応じた画像サイズの予測値データを基に、メモリーコントローラ１３を通して、メモリーの容量を確認し比較し、撮影可能残数がゼロと判定された場合はＳ１０２に進み、ゼロでない場合は終了処理（Ｓ１０４）となる。
【００４３】
Ｓ１０２では、情報表示釦が押されたどうかの判定を行い、押されている場合は図４の例に示すように、現在設定されているＩＳＯ感度、画像サイズ、画質における撮影可能枚数のみならず、設定可能な状態の組み合わせすべて、もしくは一部の撮影可能枚数をＥＶＦなどの表示部材に表示する（Ｓ１０３）。押されてない場合は終了処理（Ｓ１０４）となる。
【００４４】
図４は、本実施例のＥＶＦ表示例であり、各画質と画像サイズに対するＩＳＯ感度別の撮影可能枚数が表示されている。
【００４５】
例えば、画像サイズ：Ｌａｒｇｅ、画質：Ｆｉｎｅ・ＩＳＯ２００で撮影残数がゼロ枚になり、情報表示釦を押した場合、図４のような表示がＥＶＦに表示されることで、撮影者は、画像サイズ：Ｌａｒｇｅ、画質：Ｎｏｒｍａｌ・ＩＳＯ１００なら後「２」枚撮影可能であることが、すぐに判断可能となり、設定を切り替えて、撮影を続行できる。
【００４６】
以上説明した実施例を用いることにより、撮影可能残数が０になっても、撮影可能な条件がすぐにわかり、シャッターチャンスを逃すことなく撮影が続行することが可能になる。
【００４７】
また、記憶媒体の残ったわずかな容量を簡単、容易に効率的に有効に利用か可能となる
。
【実施例２】
【００４８】
以下に、本発明の第２の実施例を図５に基づき説明する。
【００４９】
本実施例では、撮影可能残数がゼロでない場合も、撮影画像の設定釦であるＩＳＯ設定釦、画像サイズ設定釦、画質設定釦のいずれかと、情報表示釦の両押しで、容易に撮影続行可能状態にするにはどのような設定をすればよいのかが確認できる実施態様について説明する。
【００５０】
図５のフロー図を用いて、図３のＳ３０２、Ｓ３０３の部分に処理について詳細に説明する。
【００５１】
処理開始状態からスタートし（Ｓ５００）、操作部材１８で検出する不図示の情報表示釦が押されているかいないかの判定を行い（Ｓ５０１）、押されている場合はＳ５０８に進む。押されていない場合は、他の釦のＯＮ／ＯＦＦの確認のために、操作部材１８で検出する不図示のＩＳＯ設定釦が押されているかいないかの判定を行い（Ｓ５０２）、押されている場合はＩＳＯ設定のために、釦操作に応じたＩＳＯ設定を行う（Ｓ５０３）。押されていない場合は、操作部材１８で検出する不図示の画像サイズ設定釦が押されているかいないかの判定を行い（Ｓ５０４）、押されている場合は画像サイズ設定のために、釦操作に応じた画像サイズ設定（Ｓ５０５）を行い、押されていない場合は、Ｓ５０６）
Ｓ５０６では、操作部材１８で検出する不図示の画質設定釦が押されていいるかいないかの判定を行い、押されている場合は画質設定のために、釦操作に応じた画質設定を行う（Ｓ５０７）。押されていない場合は、（５１３）に進む。
【００５２】
Ｓ５０８では、操作部材１８で検出する不図示のＩＳＯ設定釦が不図示の情報表示釦と同時押しされているかいないかの判定を行い、同時押しされていず場合は、画質、画像サイズ、ＩＳＯに応じた撮影可能枚数をＥＶＦに表示するためにＳ５１２の処理を行う。また、同時押しされていない場合は、操作部材１８で検出する不図示の画像サイズ設定釦が不図示の情報表示釦と同時押しされているかいないかの判定を行い（Ｓ５０９）、同時押しされていない場合は、画質、画像サイズ、ＩＳＯに応じた撮影可能枚数をＥＶＦに表示するためにＳ５１２に進み、同時押しされていない場合は、Ｓ５１０に進む。
【００５３】
そして、Ｓ５１０で、操作部材１８で検出する不図示の画質設定釦が不図示の情報表示釦と同時押しされているかいないかの判定を行い、同時押しされていず場合は、画質、画像サイズ、ＩＳＯに応じた撮影可能枚数をＥＶＦに表示するためにＳ５１２に進み、同時押しされていない場合は、撮影情報表示のためにＳ５１１に移行され、撮影情報、モード設定情報などをＥＶＦに表示する。
【００５４】
Ｓ５１２では、画質、画像サイズ、ＩＳＯに応じた撮影可能枚数（図４に例を示す。）をＥＶＦに表示して、終了処理（Ｓ５１３）に移行する。
【００５５】
以上説明した実施例２を用いることにより、いつでも、撮影設定状態における撮影可能な枚数の条件がすぐにわかり、また、記憶媒体の残った容量を簡単、容易に効率的に有効に利用か可能となる。限られた、記録媒体で撮影する場合は、撮影状況に適した設定を行う判断が容易になる。
【００５６】
なお、以上が本発明の各構成と実施形態の各構成の対応関係であるが、本発明はこれら実施形態の構成に限られるものではなく、請求項に示した機構または実施形態の構成が待つ機能が達成できる構成であればどのようなものであってもよい。
【図面の簡単な説明】
【００５７】
【図１】本発明に係る第１の実施例のフローチャートである。
【図２】本発明に係る第１の実施例のブロック図である。
【図３】本発明に係る第１の実施例のカメラ動作を示すフローチャートである。
【図４】本発明に係る第１の実施例のＥＶＦ表示例である。
【図５】本発明に係る第２の実施例のフローチャートである。
【符号の説明】
【００５８】
１      撮影レンズ
２      ＡＦ駆動回路
３      ズーム駆動回路
４      絞り駆動回路
５      絞り
６      ＣＣＤ
７      クランプＣＤＳ
８      ＡＧＣ
９      Ａ／Ｄ変換
１０    映像信号処理回路
１１    ＥＶＦ駆動回路
１２    ＥＶＦ
１３    メモリーコントロール
１４    メモリー
１５    外部インターフェース
１６    マイクロコンピュータ
１７    電源
１８    操作部材
１９    バッファーメモリー
２０    レリーズ釦
２１    液晶駆動回路
２２    外部液晶表示
２３    ファインダー内液晶表示
【図１】
2005175950.tif 000003
【図２】
2005175950.tif 000004
【図３】
2005175950.tif 000005
【図４】
2005175950.tif 000006
【図５】
2005175950.tif 000007